(57)【要約】【課題】  単体でありながら、味噌や野菜等の具を確実に且つ簡単に溶かしたり潰したりでき、少量の液体物を計測でき、掬った液体物を一定の方向性をもって注ぐことができるようにする。【解決手段】  柄体１の先端に椀体２を一体設した杓子にあって、椀体２を、窪んだ底部３の前端に平坦になった掬い部４を連設すると共に、前端を除く底部３周縁及びこの掬い部４の両側に、湾曲した側湾部５を連設して構成し、底部３にほぼ中心から略同心円状に複数の段部６を階段状に設けて液体の量を計測できるようにし、掬い部４の上面両側に前端にかけて注ぎ溝７を設けて掬った液体を方向性をもって食器等に注ぐことができるようにし、更に前記掬い部４の下面に複数の潰し溝８を設けて野菜や味噌等を潰したり溶かしたりできるようにし、掬い部４の前端をほぼ直線状にして掬い易くする。【選択図】        図１
0003107075.tif 000002
【実用新案登録請求の範囲】
【請求項１】
柄体（１）の先端に椀体（２）を一体設した杓子にあって、前記椀体（２）を、窪んだ底部（３）の前端に平坦になった掬い部（４）を連設すると共に、前端を除く前記底部（３）周縁及び該掬い部（４）の両側に、湾曲した側湾部（５）を連設して構成し、前記底部（３）にほぼ中心から略同心円状に複数の段部（６）を階段状に設け、前記掬い部（４）の上面両側に前端にかけて注ぎ溝（７）を設け、更に前記掬い部（４）の下面に複数の潰し溝（８）を設けたことを特徴とする杓子。
【請求項２】
掬い部（４）の前端をほぼ直線状としたことを特徴とする請求項１に記載の杓子。
【考案の詳細な説明】
【技術分野】
【０００１】
本考案は、シチューやスープ、味噌汁等を調理し、掬うのに使用する台所用品としての杓子に関する。
【背景技術】
【０００２】
台所用品としての杓子は、炒め物、シチューやスープ、味噌汁等を調理し、掬って取り分け、味噌やルーを溶かす際にかき混ぜ、柔らかく煮込んだ野菜等を押し潰す等、多岐にわたって使用する道具であり、従来より様々な形態が提案されてきていた。例えば以下の文献の如き発明、考案である。
【特許文献１】特開２００４−８９６７６号公報
【特許文献２】登録実用新案第３０９９５１８号公報
【特許文献３】実開昭６４−４０４４６号公報
【特許文献４】実開平２−１８３５６号公報
【考案の開示】
【考案が解決しようとする課題】
【０００３】
しかしながら、上記特許文献１の発明は、椀状部の下面に引っ掛かり部を有する押圧部を設けた構成の「杓子」で、味噌や野菜等の具を鍋の底に押圧部で押し付け固定し、それらを溶かしたり潰したりしようとするもので、掬う液体量を計ったり、掬い易くしたり、取り分け易くしたりするといった構成の開示はない。また上記特許文献２の考案は、お玉の内側に凹凸を付けることにより固形物を液体に撹拌しやすくするとの構成であるが、凹凸を内側に設けることで撹拌できるかどうか疑わしく、またその他の機能構成についての言及はない。
【０００４】
更に特許文献３の考案は、杓子本体の内底面に、液体物の容量を計る、複数の凹陥部を設けた構成であるが、狭いスペースである内底面に多くの凹陥部を設けることは期待できず（図示実施例では３個である）、各凹陥部は並列的に配置されているので、計量しようとする液体物を確実に所定容量の凹陥部に入れるのが難しく、従って計量しにくい欠点がある。そして特許文献４の考案は、すくい部の周縁に直線部を形成し、すくい部の外面に直線部から連続して平坦面を形成した構成で、鍋底に直線部を当てて液体を掬い易くするものであるが、他の機能構成についての開示はない。
【０００５】
よって本考案は、この従来の不満点を解消し要求に応えるべく考案された杓子であって、単体でありながら、味噌や野菜等の具を確実に且つ簡単に溶かしたり潰したりでき、少量の液体物を計測でき、掬った液体物を一定の方向性をもって注ぐことができるようにすることを目的とする。
【課題を解決するための手段】
【０００６】
上記課題を解決するため本考案は、柄体の先端に椀体を一体設した杓子にあって、前記した椀体を、窪んだ底部の前端に平坦になった掬い部を連設すると共に、前端を除く底部周縁及びこの掬い部の両側に、湾曲した側湾部を連設して構成し、前記した底部にほぼ中心から略同心円状に複数の段部を階段状に設け、前記した掬い部の上面両側に前端にかけて注ぎ溝を設け、更に前記した掬い部の下面に複数の潰し溝を設けたことを特徴とする構成である。
【０００７】
またこの場合、掬い部の前端をほぼ直線状としたことを特徴とする構成である。
【考案の効果】
【０００８】
本考案の杓子は上述したような構成であるので、先ず、掬い部が平坦になっているので、鍋底にほぼ面接させることができるため液体物や具を確実に掬い上げることができ、特にこの場合、掬い部の前端をほぼ直線状としておけば具を確実に掬うことができることになる。
【０００９】
また、この平坦な掬い部の下面に複数の潰し溝を設けたことにより、平坦な掬い部で鍋底に具を押し付けて固定すると同時に、掬い部の下面に設けた複数の潰し溝により、具をしごくようにして磨り潰すことができる。
【００１０】
そして窪んだ底部には、ほぼ中心から略同心円状に複数の段部が階段状に設けられているので、最も内側の段部によって底部中心に形成される窪みの容量を予め設定しておけば、この最も内側の段部内の収納液体量を確実に計ることができ、二番目の段部により形成される窪みは、最内側の段部による窪みに加えた容量となり、このようにして各段部によって段階的に収納容量を設定することができるので、使用に際してもその所定の段部を目安にして、所望液体量を計ることができることになる。
【００１１】
更に掬い部の上面両側には、前端にかけて注ぎ溝が設けられているので、椀体に掬った具や液体をこの注ぎ溝を伝わせながら確実にお椀等に移し替えたり取り分けたりすることができる等、単体である一つの杓子で多くの優れた作用効果を奏する。
【考案を実施するための最良の形態】
【００１２】
柄体１の先端に椀体２を一体設した構成にあって、椀体２は、窪んだ底部３の前端に平坦になった掬い部４を連設し、底部３に於ける前端を除く周縁、及び掬い部４に於ける前端を除く両側に、湾曲した側湾部５を連設する。ここで柄体１の軸線と、掬い部４の前後方向の仮想中心線とは、直交に近い鈍角で交叉している。
【００１３】
窪んで椀形状となった底部３には、そのほぼ中心から略同心円状に複数の段部６が階段状に設けられ、掬い部４の上面両側には前端にかけて注ぎ溝７が設けられ、更に掬い部４の下面には前後方向に沿って複数の潰し溝８が設けられる。
【００１４】
そして掬い部４の前端部は肉薄になっていて且つ前端をほぼ直線状とし、鍋底に当接させた際に鍋底面との間隙の形成をできるだけ少なくするようにし、液体や具をより掬い易くできるようにしている。
【実施例１】
【００１５】
底部３に於ける複数の段部６は、図示実施例では四段階に分かれており、最も内側の段部６ａによって形成される窪みの容量は小サジ１杯分である５cc、次の内側の段部６ｂによって形成される窪みの全容量はサジ１杯分である１５cc、次の内側の段部６ｃによって形成される窪みの全容量は大サジ１杯分である３０cc、最も外側の段部６ｄによって形成される窪みの全容量はカップ１／２杯分である５０cc等の如くである。
【００１６】
従って、液体調味料や水等を窪みに入れて、その使用目的量に応じた容量線となる何れかの段部６線を目安にして計測することができる。
【００１７】
また、掬い部４の上面両側の注ぎ溝７は、椀体２内に掬われた具や液体を食器などに取り分けるに際し、特に液体を方向性をもって少量ずつ抽出することができるようにするためのものである。
【００１８】
尚、柄体１の背面中央部にはフック片９が設けられていて、例えば鍋の縁にひっかけることができるようになっている。
【図面の簡単な説明】
【００１９】
【図１】本考案の杓子の一部断面側面図である。
【図２】本考案の杓子の正面図である。
【図３】図１のＡ−Ａ線端面図である。
【図４】掬い部の一部の底面図である。
【符号の説明】
【００２０】
１    柄体
２    椀体
３    底部
４    掬い部
５    側湾部
６    段部
７    注ぎ溝
８    潰し溝
９    フック片
【図１】
0003107075.tif 000003
【図２】
0003107075.tif 000004
【図３】
0003107075.tif 000005
【図４】
0003107075.tif 000006